(57)【要約】【課題】  大人の患者でも薬を服用する動機付けとなり、また治療に当たって患者の心理的な不安感を解消することができるようにする。【解決手段】  薬袋１や薬情、或いは薬手帳を構成する薬提供用紙であって、表面に人や動物の身体における治療対象の絵や画像６、或いは臓器全体、骨格全体または筋肉全体の絵や画像並びにこれらにおける各部の名称等が表示されており、薬の使用者は、薬を使用することによって、治療を行う患部を明確に意識しながら、薬を服用することができる。【選択図】  図１
0003156107.tif 000002
【実用新案登録請求の範囲】
【請求項１】
表面に、人や動物の身体における治療対象の絵や画像が表示された、薬提供用紙。
【請求項２】
治療対象として、特定の臓器の絵や画像が表示された、請求項１記載の薬提供用紙。
【請求項３】
治療対象として、特定の骨の絵や画像が表示された、請求項１記載の薬提供用紙。
【請求項４】
治療対象として、特定の臓器の名称または特定の骨の名称が更に表示された請求項２または請求項３記載の薬提供用紙。
【請求項５】
表面に人や動物の臓器全体の絵や画像と臓器各部の名称が表示された、薬提供用紙。
【請求項６】
表面に人や動物の骨格全体の絵や画像と骨格各部の名称が表示された、薬提供用紙。
【請求項７】
表面に人や動物の筋肉全体の絵や画像と筋肉各部の名称が表示された、薬提供用紙。
【考案の詳細な説明】
【技術分野】
【０００１】
本考案は、病院や調剤薬局等で患者に薬を渡す際に用いられる薬袋や薬情等を構成するのに用いられる薬提供用紙に関する。
【背景技術】
【０００２】
病院や調剤薬局等において、患者に薬を渡す際には、その薬袋や薬情に患者の氏名の他、薬に関する名前、写真、薬効および朝昼夜等の食前食後の服用時期および服用量等が記載されている。そして、これらの情報にしたがって患者は薬を服用することとなる。従来、患者が薬を飲み忘れたり、飲み間違えたりしないようにするために、患者の顔写真を載せたり、飲んだ薬のチェック欄を設けたり、或いは服用のタイムスケジュールを載せたり、チェック用ラベルが貼付された薬袋等が開発されている。
【先行技術文献】
【特許文献】
【０００３】
【特許文献１】特開２００２−２８４１８０号公報
【特許文献２】特開２００２−３３７８８３号公報
【特許文献３】特開２００３−７０８７８号公報
【特許文献４】特開２００３−２６１１４８号公報
【特許文献５】実用新案登録第３０６８７１８号公報
【考案の概要】
【考案が解決しようとする課題】
【０００４】
前述した従来の薬袋等は、いずれも患者が正確に薬を服用することを目的とするものであり、患者に対して精神的に患部を治す動機付けを行うようなものではなかった。そのため、薬の副作用がある場合や薬の使用感が不快である場合等には、患者が処方された薬を使用せず、放置してしまう場合もあった。
【０００５】
また、子供の患者が薬を飲むのを嫌がらないようにするために、袋の表面にキャラクター、パズル等を印刷した薬袋も知られているが、これらは子供の患者に有効ではあるが、大人の患者が薬を服用する動機付けとはならないものであった。
【０００６】
更に、患者は通常、医学的な専門知識を有しないことから、例えば膵臓や腎臓が患部である場合に、それが自分の体のどの位置にあるのかを正確に把握できず、そのため心理的に不安感を持つ場合もあった。
【０００７】
本考案の目的は、大人の患者でも薬を服用する動機付けとなり、また治療に当たって患者の心理的な不安感を解消することができる薬提供用紙を提供することにある。
【課題を解決するための手段】
【０００８】
請求項１記載の本考案は、表面に人や動物の身体における治療対象の絵や画像が表示された薬提供用紙である。
【０００９】
本考案に係る薬提供用紙は、薬の提供に当たって使用されるあらゆるものの用紙として利用され得る。具体的には、薬袋や薬情、或いは薬手帳等を構成するものである。
【００１０】
また、薬提供用紙を構成する材料としては、紙類の他、合成樹脂シートや複合紙等、種々のものが挙げられる。
【００１１】
本考案において、治療対象とは、人や動物が病気にかかった場合に、その治療を行う対象となるものであり、具体的には、心臓を治療する場合には、該心臓が治療対象となり、肝臓を治療する場合には、該肝臓が治療対象となる。また、治療対象として、表示される絵や写真は、病気でない健全な状態のもの、或いは実際に病気になっている患者自身の患部の画像であっても良い。
【００１２】
請求項２記載の本考案は、前記請求項１記載の薬提供用紙について、治療対象として特定の臓器の絵や画像が表示されていることを特徴とするものである。なお、本願において、「臓器の絵や画像」とは、臓器の外観の絵や画像の他、臓器内部の絵や画像も含まれる。
【００１３】
請求項３記載の本考案は、前記請求項１記載の薬提供用紙について、治療対象として特定の骨の絵や画像が表示されていることを特徴とするものである。
【００１４】
請求項４記載の本考案は、前記請求項２または請求項３記載の薬提供用紙について、治療対象として、特定の臓器の名称または特定の骨の名称が更に表示されていることを特徴とするものである。
【００１５】
請求項５記載の本考案は、表面に人や動物の臓器全体の絵や画像と臓器各部の名称が表示された薬提供用紙である。
【００１６】
請求項６記載の本考案は、表面に人や動物の骨格全体の絵や画像と骨格各部の名称が表示された薬提供用紙である。
【００１７】
請求項７記載の本考案は、表面に人や動物の筋肉全体の絵や画像と筋肉各部の名称が表示された薬提供用紙である。
【考案の効果】
【００１８】
請求項１〜請求項４記載の本考案に係る薬提供用紙を薬袋や薬情等に使用した場合、患者は、薬を使用する際に、常に治療対象を視覚的に明確に認識することとなるため、患部の治療意欲を増加させることができる。また、この点は、薬を使用する対象が動物である場合の飼い主についても同様である。
【００１９】
請求項５〜請求項７記載の本考案に係る薬提供用紙を薬袋や薬情等に使用した場合、患者は、表示されている臓器全体、骨格全体または筋肉全体における各部の名称を見て、自分が治すべき患部の位置を明確に把握することができるため、治療意欲が増加すると共に、治療位置が明確に認識されることで、患者の精神的な不安感を解消することもできる。また、この点は、薬を使用する対象が動物である場合の飼い主についても同様である。
【図面の簡単な説明】
【００２０】
【図１】実施形態１に係る薬袋の正面図である。
【図２】実施形態２に係る薬袋の正面図である。
【図３】実施形態３に係る薬情の正面図である。
【図４】実施形態４に係る薬情の正面図である。
【考案を実施するための形態】
【００２１】
次に、本考案の実施形態を図面にしたがって説明するが、本考案はかかる実施形態に限定されるものではない。
【００２２】
（実施形態１）
【００２３】
図１に示すように、薬袋１は、「内服薬」と記載された薬の使用種別表示部２と、患者の氏名が記載された氏名表示部３と、薬が出された年月日が記載された日付表示部４と、薬を出した病院等の医療機関の名称や調剤した院外薬局の名称が記載された調剤機関名表示部５とを有する他、薬袋１の中央部分には人間の臓器全体の絵や画像が表示された臓器表示部６が設けられ、また臓器表示部６には臓器各部の名称も表示されているものである。
【００２４】
（実施形態２）
【００２５】
図２に示すように、薬袋２１は、「外用薬」と記載された薬の使用種別表示部２２と、患者の氏名が記載された氏名表示部２３と、薬が出された年月日が記載された日付表示部２４と、薬を出した病院等の医療機関の名称や調剤した院外薬局の名称が記載された調剤機関名表示部２５とを有する他、人間の身体全体の骨格の絵や画像が表示された骨格表示部２６を有し、また骨格表示部２６には骨格各部の名称も表示されている。
【００２６】
（実施形態３）
【００２７】
図３に示すように、薬情３１は、患者の氏名が記載された氏名表示部３２と、薬が出された年月日が記載された日付表示部３３と、後述する薬に関する種々の情報が記載された薬情報表示表３４と、薬を出した病院等の医療機関の名称や調剤した院外薬局の名称が記載された調剤機関名表示部３５と、薬が何日分のものであるかを示す使用期間表示部３６を有する他、薬を飲んで治療を行う臓器の絵や画像と該臓器の名称が印刷された治療臓器表示部３０を有するものである。
【００２８】
薬情報表示表３４は、薬の名前が記載された薬名表示欄３７と、薬の写真が印刷された薬表示欄３８と、薬のはたらきが記載された薬効表示欄３９と、薬の服用数と服用時期が記載された服用方法表示欄４１と、薬の副作用等の使用上の注意が記載された注意事項欄４２とを有する。
【００２９】
（実施形態４）
【００３０】
図４に示すように、薬情５１は、患者の氏名が記載された氏名表示部５２と、薬が出された年月日が記載された日付表示部５３と、後述する薬に関する種々の情報が記載された薬情報表示表５４と、薬を出した病院等の医療機関の名称や調剤した院外薬局の名称が記載された調剤機関名表示部５５と、薬が何日分のものであるかを示す使用期間表示部５６を有する他、薬を塗布して治療を行う骨の絵や画像と該骨の名称が印刷された治療骨表示部５７を有するものである。
【００３１】
なお、薬情報表示表４４の具体的な構成は、前記実施形態３における薬情報表示表３４と同様である。
【産業上の利用可能性】
【００３２】
本考案の薬提供用紙を薬袋や薬情として使用した場合、薬を使用する患者の病気に対する治療意欲が確実に増加し得るため、医療分野において幅広い利用が期待できる。
【符号の説明】
【００３３】
１  薬袋
２  使用種別表示部
３  氏名表示部
４  日付表示部
５  調剤機関名表示部
６  臓器表示部
【図１】
0003156107.tif 000003
【図２】
0003156107.tif 000004
【図３】
0003156107.tif 000005
【図４】
0003156107.tif 000006
【手続補正書】
【提出日】平成21年10月7日(2009.10.7)
【手続補正１】
【補正対象書類名】実用新案登録請求の範囲
【補正対象項目名】全文
【補正方法】変更
【補正の内容】
【実用新案登録請求の範囲】
【請求項１】
表面に、人や動物の身体における治療対象の絵や画像が表示された、薬提供用紙。
【請求項２】
治療対象として、特定の臓器の絵や画像が表示された、請求項１記載の薬提供用紙。
【請求項３】
治療対象として、特定の骨の絵や画像が表示された、請求項１記載の薬提供用紙。
【請求項４】
治療対象として、特定の臓器の名称または特定の骨の名称が更に表示された請求項２または請求項３記載の薬提供用紙。
【請求項５】
表面に人や動物の治療対象を含む、臓器全体の絵や画像と臓器各部の名称が表示された、薬提供用紙。
【請求項６】
表面に人や動物の治療対象を含む、骨格全体の絵や画像と骨格各部の名称が表示された、薬提供用紙。
【請求項７】
表面に人や動物の治療対象を含む、筋肉全体の絵や画像と筋肉各部の名称が表示された、薬提供用紙。